(57)【要約】【課題】未浄化の排気が外部へ排出されない内燃機関の排気浄化装置を提供する。【解決手段】本発明の排気浄化装置は、メイン触媒コンバータ８を設置したメイン通路と、メイン通路をバイパスし、バイパス触媒コンバータ１８を設置したバイパス通路と、排気の流れを制御する切換バルブ４と、内燃機関の燃焼状態を制御すると共に、切換バルブの開閉を制御するコントローラ３０と、を備え、コントローラは、排気の流れをバイパス通路からメイン通路に切り換える時に、内燃機関の燃焼状態を空燃比がリッチな状態の燃焼として、リッチな排気をバイパス通路に流し、切換バルブ下流のメイン通路に残留した空気と混合させてメイン触媒コンバータに導入する。【選択図】図１
2008190479.tif 000002
【特許請求の範囲】
【請求項１】
内燃機関の排気が流通するメイン通路と、
このメイン通路に設置されたメイン触媒コンバータと、
前記メイン通路の一部をバイパスし、前記触媒コンバータの上流側の前記メイン通路に接続するバイパス通路と、
このバイパス通路に設置されるバイパス触媒コンバータと、
前記内燃機関から排出される排気の前記メイン通路への流れを制御する切換バルブと、
内燃機関の燃焼状態を制御すると共に、前記切換バルブの開閉を制御するコントローラと、
を備えた内燃機関の排気浄化装置において、
前記コントローラは、前記排気の流れを前記バイパス通路から前記メイン通路に切り換える時に、前記内燃機関の燃焼状態を空燃比がリッチな状態の燃焼として、排出されるリッチな排気を前記バイパス通路に流し、前記切換バルブ下流の前記メイン通路に残留した空気と混合させて前記メイン触媒コンバータに導入することを特徴とする内燃機関の排気浄化装置。
【請求項２】
前記コントローラは、前記メイン触媒コンバータが活性状態に達した場合に前記切換バルブを開いて前記排気を前記メイン通路に導入し、活性状態に達する前は前記切換バルブを閉じて前記排気を前記バイパス通路に導入することを特徴とする請求項１に記載の内燃機関の排気浄化装置。
【請求項３】
前記コントローラは、前記リッチな排気が前記内燃機関から前記メイン触媒コンバータに到達する時間と、前記排気を前記メイン通路に流すように前記コントローラから前記切換バルブが開く指示を受けてから開くまでの時間と、前記メイン通路内の残留空気が前記メイン触媒コンバータに到達するまでの時間とに応じて、前記内燃機関のリッチ燃焼の開始から前記切換バルブが実際に開くまでの時間を設定することを特徴とする請求項１または２に記載の内燃機関の排気浄化装置。
【請求項４】
前記コントローラは、前記リッチな排気が前記バイパス通路を通過して前記メイン触媒コンバータに到達するタイミングと前記残留空気が前記メイン触媒コンバータに到達するタイミングが同じになるように前記切換バルブを開くことを特徴とする請求項３に記載の内燃機関の排気浄化装置。
【発明の詳細な説明】
【技術分野】
【０００１】
本発明は、触媒コンバータで排気浄化を行う内燃機関の排気浄化装置、特に、メイン流路に配置されたメイン触媒コンバータが活性化していない冷間始動直後に、別の触媒コンバータを備えたバイパス流路側に排気を案内する内燃機関の排気浄化装置の改良に関する。
【背景技術】
【０００２】
従来から知られているように、車両の床下などの排気系の比較的下流側にメイン触媒コンバータを配置した構成では、内燃機関の冷間始動後、触媒コンバータの温度が上昇して活性化するまでの間、十分な排気浄化作用を期待することができない。また一方、触媒コンバータを排気系の上流側つまり内燃機関側に近付けるほど、触媒の熱劣化による耐久性低下が問題となる。
【０００３】
そのため、特許文献１に開示されているように、メイン触媒コンバータを備えたメイン流路の上流側部分と並列にバイパス流路を設けるとともに、このバイパス流路に、メイン触媒より容量の小さいバイパス触媒コンバータを介装し、排気の流れをメイン流路とバイパス流路とのいずれかに切り換える切換バルブを備える排気浄化装置がある。この切換バルブによって、冷間始動直後は、排気がバイパス流路を通じてバイパス触媒コンバータに送られ、排気浄化がなされる。この構成では、バイパス触媒コンバータはメイン触媒コンバータよりも相対的に上流側に位置しており、バイパス触媒コンバータは容量が小さいので早期に活性化し、より早い段階から排気浄化を開始することができる。
【特許文献１】特開２００５−３５１０８８号公報
【発明の開示】
【発明が解決しようとする課題】
【０００４】
従来の排気浄化装置では、メイン触媒コンバータが活性温度に達し、排気の流れをバイパス流路からメイン流路へ切り換える際に、メイン流路の上流側部分に残留した残留空気とバイパス流路内の理論空燃比の排気とが混合され、リーンな混合気としてメイン触媒コンバータに導入されることになる。したがって、メイン触媒コンバータが活性状態にあっても導入される混合気がリーンなため、混合気を十分に浄化することができずＮＯｘが排出される恐れがある。
【０００５】
したがって、本発明は、内燃機関起動時の排気浄化を確実に行える内燃機関の排気浄化装置を提供することを目標とする。
【課題を解決するための手段】
【０００６】
本発明は、内燃機関の排気が流通するメイン通路と、このメイン通路に設置されたメイン触媒コンバータと、前記メイン通路の一部をバイパスし、前記触媒コンバータの上流側の前記メイン通路に接続するバイパス通路と、このバイパス通路に設置されるバイパス触媒コンバータと、前記内燃機関から排出される排気の前記メイン通路への流れを制御する切換バルブと、内燃機関の燃焼状態を制御すると共に、前記切換バルブの開閉を制御するコントローラと、を備えた内燃機関の排気浄化装置において、前記コントローラは、前記排気の流れを前記バイパス通路から前記メイン通路に切り換える時に、前記内燃機関の燃焼状態を空燃比がリッチな状態の燃焼として、排出されるリッチな排気を前記バイパス通路に流し、前記切換バルブ下流の前記メイン通路に残留した空気と混合させて前記メイン触媒コンバータに導入することを特徴とする内燃機関の排気浄化装置である。
【発明の効果】
【０００７】
この発明によれば、排気の流れをバイパス通路からメイン通路に切り換える時に、切換バルブの開動作に応じて内燃機関の燃焼状態を空燃比がリッチな状態の燃焼として、排出されるリッチな排気をバイパス通路に流し、切換バルブ下流のメイン通路に残留した空気と混合させてメイン触媒コンバータに導入するため、切換バルブ切り換え時にもメイン触媒コンバータに導入される混合気の空燃比を理論空燃比として、理論空燃比の排気と空気とが混合したリーンなメイン触媒コンバータに導入されて混合気が十分に浄化されないまま、外部にＮＯｘが排出されることを防止することができる。
【発明を実施するための最良の形態】
【０００８】
図１は、本発明を適用する内燃機関の排気浄化装置のレイアウトを模式的に示した説明図である。
【０００９】
排気浄化装置は、車両の居室の床下に配置されるメイン触媒コンバータ８とその上流側に配置されるバイパス触媒コンバータ１８とを含んで構成される。メイン触媒コンバータ８は、内燃機関の各気筒に接続する上流側メイン通路２と、その下流側の中流側メイン通路３及び下流側メイン通路７からなるメイン通路２、３、７の下流側メイン通路７に設置される。バイパス触媒コンバータ１８は、メイン通路２、３、７の上流側メイン通路２からそれぞれ分岐し、中流側メイン通路３をバイパスして中流側メイン通路３と下流側メイン通路７との接続部７ａに接続し、上流側、下流側バイパス通路１１、１４からなるバイパス通路１１、１４の下流側バイパス通路１４に設置される。
【００１０】
上流側メイン通路２は、その上流側が内燃機関の♯１気筒〜♯４気筒の各気筒１に接続されるとともに、下流側端部は集合し、その集合部に各上流側メイン通路２を開閉する切換バルブ４が各通路２に設けられている。切換バルブ４は切換バルブユニット５として構成され、切換バルブユニット５で４本の上流側メイン通路２は一体化し、各切換バルブ４の下流側で１本の通路として構成され、中流側メイン通路３に接続する。この切換バルブユニット５の各切換バルブ４は、内燃機関の冷間時には閉じられ、閉時には上流側メイン通路２と中流側メイン通路３との間の連通を遮断し、排気をバイパス通路１１、１４へ導入し、開時には上流側メイン通路２と中流側メイン通路３との間を連通し、排気を中流側メイン通路３へ導入する構成とする。ここで、切換バルブ４よりも上流側の上流側メイン通路２の通路長さ、ないしは通路容積が小さいほど、冷間始動直後のバイパス流路側における排気温度が上昇しやすくなる。
【００１１】
中流側メイン通路３の下流側には、下流側メイン通路７が接続して、中流側メイン通路３と下流側メイン通路７との接続部７ａに後述の下流側バイパス通路１４が合流する。そして下流側メイン通路７にはメイン触媒コンバータ８が設置され、このメイン触媒コンバータ８における触媒としては、三元触媒とＨＣトラップ触媒とが備えられる。
【００１２】
バイパス通路１１、１４の一部として、上流側メイン通路２の各々から分岐する上流側バイパス通路１１が設置され、この上流側バイパス通路１１は、上流側メイン通路２よりも通路断面積が十分に小さな通路である。上流側バイパス通路１１の上流端となる上流側メイン通路２との分岐点２ａは、上流側メイン通路２のできるだけ上流側の位置に設定されている。そして、各上流側バイパス通路１１は集合し、１本の下流側バイパス通路１４に接続する。下流側バイパス通路１４の下流側は、前述の通り、中流側メイン通路３と下流側メイン通路７との接続部７ａに合流している。なお、各通路を模式的に示した図１では、各上流側バイパス通路１１が比較的長く描かれているが、実際には、可能な限り短くなっている。換言すれば、最短距離でもって下流側バイパス通路１４と合流している。
【００１３】
下流側バイパス通路１４には、その途中に三元触媒を用いたバイパス触媒コンバータ１８が設置される。このバイパス触媒コンバータ１８は、バイパス流路１４の可能な限り上流側に配置されている。つまり、下流側バイパス通路１４もできるだけ短くなっている。バイパス触媒コンバータ１８は、メイン触媒コンバータ８に比べて容量が小さな小型のものであり、望ましくは、低温活性に優れた触媒が用いられる。下流側バイパス通路１４は、中流側メイン通路３と下流側メイン通路７との接続部７ａに合流し、バイパス触媒コンバータ１８で浄化された排気を下流側メイン通路７に導入する。
【００１４】
各触媒コンバータ８、１８の上流側には触媒コンバータ８、１８に流入する排気の空燃比を検出する第１、第２空燃比センサ１９ａ、１９ｂが備えられ、また、各触媒コンバータ８、１８の下流側には触媒コンバータ８、１８から流出する排気の空気過剰状態を検出する第１、第２酸素センサ２０ａ、２０ｂが備えられる。これらセンサ１９ａ、１９ｂ、２０ａ、２０ｂの出力は、排気浄化装置を統合制御するコントローラ３０に送られる。各センサ１９ａ、１９ｂ、２０ａ、２０ｂの出力を入力したコントローラ３０は、検出結果や図示しないセンサ等により検出した内燃機関の回転速度、アクセルペダル開度、スロットル切換バルブ開度等に基づいて、各触媒コンバータ８、１８の活性状態の判定、切換バルブ４の開閉制御や内燃機関の燃料噴射制御等を行う。
【００１５】
またメイン触媒コンバータ８は、内装する触媒に酸化セリウムを添加し、この酸化セリウムを用いて排気中の酸素を吸収あるいは放出するストレージ機能を備えている。コントローラ３０は、第２空燃比センサ１９ｂの出力に基づいて、メイン触媒コンバータ８に蓄えた酸素を放出あるいは吸収すると共に、メイン触媒コンバータ８に蓄える酸素ストレージ量が所定範囲内となるように、例えば燃料噴射状態をコントロールする。
【００１６】
このように構成された排気浄化装置において、切換バルブ４を開き、排気の流れをバイパス通路１１、１４からメイン通路２、３、７へと切り換える場合の排気浄化制御について説明する。
【００１７】
内燃機関始動直後は、容量が小さく活性温度に速やかに達するバイパス触媒コンバータ１８に排気を導入して、排気の浄化を行うと共に、排気を下流のメイン触媒コンバータ８に導入することで、メイン触媒コンバータ８の昇温を促進する。
【００１８】
メイン触媒コンバータ８の温度が活性温度に達すると、切換バルブ４を切り換えて排気はバイパス通路１１、１４を介さずに直接メイン通路２、３、７に導入され排気を直接的にメイン触媒コンバータ８に送るようにする。
【００１９】
切換バルブ切り換え前の排気の空燃比は、バイパス触媒コンバータ１８の排気浄化に適した空燃比に制御されている。ここで内燃機関始動直後、排気が切換バルブ４を通過する前に切換バルブ４は閉じた状態となるため、切換バルブ４下流に位置する中流側メイン通路３内には外気、つまり空気が残留することになる。このような状態から切換バルブ４を切り換えると、メイン触媒コンバータ８には、バイパス通路１１、１４からの理論空燃比の排気と中流側メイン通路３からの空気とが混合したリーンな混合気が導入されることになる。この結果、メイン触媒コンバータ８が活性状態にあってもリーンな混合気が導入されるため、この混合気を十分に浄化することができないことになる。
【００２０】
このような課題を解決する本発明の切換バルブ切り換え時の排気浄化制御を以下に説明する。
【００２１】
図２は、本発明の排気浄化制御の内容を説明するフローチャートである。この制御はコントローラ３０により、たとえば内燃機関始動時毎に実施される。
【００２２】
まずステップＳ１で内燃機関の運転領域を確認する。具体的には、内燃機関の回転速度、アクセルペダル開度、スロットルバルブ開度、第２空燃比センサ１９ｂおよび第２酸素センサ２０ｂの出力を読み込み、これら出力値に基づいて内燃機関の運転状態やメイン触媒コンバータ８の活性状態を確認する。
【００２３】
ステップＳ２で、判断した運転状態が切換バルブ４の開状態を要求されているかどうかを判定する。開状態が要求される条件としては、メイン触媒コンバータが活性状態に達している場合や、排気をバイパス通路に流通させている状態で内燃機関に大きな負荷が要求された場合に切換バルブ４を開くように制御する。ステップＳ２で開要求がある場合にステップＳ３に進み、ない場合にはステップＳ１の運転領域確認ステップに戻る。
【００２４】
ステップＳ３では、第２空燃比センサ１９ｂの出力を読み込み、メイン触媒コンバータ８の酸素吸収量が所定範囲にあることを確認して、ステップＳ４で切換バルブ４の開制御が１回目かどうかを判定する。１回目であればステップＳ５に進み、ステップＳ５では、内燃機関の燃焼室内に一時的に燃料を多量に噴射（リッチスパイク制御）し、リッチな排気がバイパス通路１１、１４内に導入されるようにする。ここでのリッチスパイク制御において、燃料は、排出される排気の空燃比が中流側メイン通路３内に残留する空気と混合したときに、その混合気の空燃比が理論空燃比となるように制御される。
【００２５】
続くステップＳ７では、ステップＳ５のリッチスパイク制御開始のタイミングから実際に切換バルブ４に開指示の信号を出力するまでの遅れ時間Ｔｆを設定する。遅れ時間Ｔｆを設定したらステップＳ１に戻る。この遅れ時間Ｔｆの設定方法を図３に示すフローチャートを用いて説明する。
【００２６】
まずステップＳ２１で、予め実験等により求めたリッチスパイク制御による排気が内燃機関からメイン触媒コンバータ８に到達するまでの時間Ｔｒｉｃｈを読み込む。続くステップＳ２２、Ｓ２３で、予め実験等により求めた、切換バルブ４の開指令から実際に切換バルブ４が開状態となるまでの遅れ時間Ｔａと中流側メイン通路３内に残留した空気がメイン触媒コンバータ８に到達するまでの遅れ時間Ｔｂを読み込み、ステップＳ２４で下式により遅れ時間Ｔｆを算出する。
【００２７】
Ｔｆ＝Ｔｒｉｃｈ−（Ｔａ＋Ｔｂ）        （１）
図２のフローチャートに戻って、ステップＳ６では、切換バルブ４の開制御が複数回実施済みであるから遅れ時間Ｔｆが設定済みであり、リッチスパイク制御を継続し、ステップＳ８で、リッチスパイク制御開始（ステップＳ５）からの経過時間ＴｃがステップＳ７で設定した遅れ時間Ｔｆ以上か否かを判定する。条件が成立すればステップＳ９に進んで切換バルブ４に開指令を出力し、中流側メイン通路３内の空気とバイパス通路１１、１４からのリッチな排気とを混合させて混合気の空燃比を理論空燃比としてメイン触媒コンバータ８に導入する。一方、条件が不成立であれば、ステップＳ１０に進んで切換バルブ４を閉じたままにして、ステップＳ８に戻る。
【００２８】
ステップＳ９に続くステップＳ１１では、切換バルブ４を開にした後の経過時間Ｔｃが所定時間Ｔｔ以上か否かを判定する。ここで、所定時間Ｔｔは、中流側メイン通路３内の残留空気がすべてメイン触媒コンバータ８内に流入する時間である。
【００２９】
この図２のフローチャートの制御内容をタイミングチャートで示したものが図４である。時刻ｔ１で切換バルブ４を開く条件の１回目が成立して開フラグがオンになる（ステップＳ２）。フラグがオンになると同時に目標空燃比をリッチ側に変更し、リッチスパイク制御を実施する。リッチスパイクを実施することで、切換バルブ４を閉じたままであれば、メイン触媒コンバータ８に導入される排気の空燃比は図に示すようにリッチな排気となる。
【００３０】
時刻ｔ１から遅れ時間Ｔｆ＋Ｔａだけ経過した時刻ｔ２で、実際に切換バルブ４が開状態となり、時刻ｔ２から遅れ時間Ｔｂだけ遅れた時刻ｔ３で中流側メイン通路３内の残留空気と、内燃機関の燃焼室から排出されたリッチな排気とが混合してメイン触媒コンバータ８に導入される。ここで、リッチスパイク制御を行わない場合には、バイパス通路１１、１４からの理論空燃比の排気と中流側メイン通路３からの空気と混合してリーンな混合気としてメイン触媒コンバータ８に導入され、排気を浄化しきれず、ＮＯｘを除去しきれない（図中破線で示す）。しかしながら本発明では、切換バルブ４を開き、中流側メイン通路３からの空気がメイン触媒コンバータ８の導入されるタイミングにあわせて、内燃機関からリッチな排気がバイパス通路１１、１４を通じてメイン触媒コンバータ８に導入されるように燃焼状態を制御するため、空気とリッチな排気とが混合して理論空燃比の混合気としてメイン触媒コンバータ８に導入される。このため、切換バルブ４の開直後であっても、メイン触媒コンバータ８に導入される混合気は理論空燃比を示す混合気であり、メイン触媒コンバータ８により十分に浄化することができる。
【００３１】
そして、中流側メイン通路３内に残留した空気がすべてメイン触媒コンバータ８に導入されると推定される時刻ｔ４でリッチスパイク制御を終了して、通常の排気浄化制御に切り換える。
【００３２】
このように、メイン触媒コンバータ８が活性温度に達した時、内燃機関から排出される排気の流れをバイパス通路１１、１４からメイン通路２、３、７に切り換える場合に、切換バルブ４の開閉タイミングに応じて内燃機関の燃焼状態を一時的にリッチ状態としてこのリッチな排気をバイパス通路１１、１４に流す。バイパス通路１１、１４を流れるリッチな排気は、切換バルブ４が開くことにより中流側メイン通路３に残留した空気と混合して、理論空燃比の混合気としてメイン触媒コンバータ８に導入され、浄化される。このようにして、内燃機関始動持に、排気が流通する通路を切り換える場合においてもメイン触媒コンバータ８により確実に排気の浄化を行うことができる。
【００３３】
なお、この発明は、その技術的思想の範囲内において種々の変形や変更が可能であり、それらも本発明と均等であることは明白である。
【図面の簡単な説明】
【００３４】
【図１】本発明に係る内燃機関の排気浄化装置のレイアウトを模式的に示した説明図である。
【図２】排気浄化制御を説明するためのフローチャートである。
【図３】遅れ時間Ｔｆを設定するためのフローチャートである。
【図４】排気浄化制御を説明するためのタイミングチャートである。
【符号の説明】
【００３５】
２：上流側メイン通路
３：中流側メイン通路
４：切換バルブ
５：切換バルブユニット
７：下流側メイン通路
８：メイン触媒コンバータ
１１：上流側バイパス通路
１４：下流側バイパス通路
１８：バイパス触媒コンバータ
３０：コントローラ
【図１】
2008190479.tif 000003
【図２】
2008190479.tif 000004
【図３】
2008190479.tif 000005
【図４】
2008190479.tif 000006